(57)【要約】      （修正有）【課題】下回転軸が穴に対応する角度に回されると、光信号が穴を貫いて受信部に照射され、モータが制御され、自動的に容器を適合位置に止めることができるトースターを提供する。【解決手段】トースターはベース１００を有し、ベースのなかに動力部と容器１２０と上回転軸１３０と下回転軸１４０が設けられ、動力部が下回転軸に伝動して連結され、下回転軸が上回転軸に伝動して連結され、上回転軸が容器に伝動して連結され、ベースのなかに発射基板１５０も設けられ、発射基板の上に光信号の発射灯１５１と受信部１５２が配置され、下回転軸に垂直に下回転軸を通す一つの穴１４１が設けられ、受信部１５２の信号が動力部に連接され、発射灯と受信部が別々に下回転軸の両側にその位置が穴に対応するように設置されている。【選択図】図１
0003189625.tif 000002
【実用新案登録請求の範囲】
【請求項１】
トースターにはベース（１００）を有して、ベース（１００）のなかに動力部（１１０）と容器（１２０）と上回転軸（１３０）と下回転軸（１４０）が設けられ、動力部（１１０）が下回転軸（１４０）に伝動して連結され、下回転軸（１４０）が上回転軸（１３０）に伝動して連結され、上回転軸（１３０）が容器（１２０）に伝動して連結され、ベース（１００）のなかに発射基板（１５０）も設けられ、発射基板（１５０）の上に光信号の発射灯（１５１）と光信号の受信部（１５２）が配置され、下回転軸（１４０）に垂直に下回転軸（１４０）を通す一つの穴（１４１）が設けられ、受信部（１５２）の信号が動力部（１１０）に連接され、発射灯（１５１）と受信部（１５２）が別々に下回転軸（１４０）の両側に設置されて且つその位置が穴（１４１）に対応して位置されるようにしたことを特徴とするトースター。
【請求項２】
前記発射基板（１５０）が下回転軸（１４０）の外径に可動的に巻付けて連結されるようにしたことを特徴とする請求項１に記載のトースター。
【請求項３】
前記ベース（１００）のなかに光遮断箱（１６０）が設けられ、光遮断箱（１６０）が下回転軸（１４０）に巻付けて連接されて且つ発射灯（１５１）と受信部（１５２）に被せて連結されるようにしたことを特徴とする請求項１に記載のトースター。
【請求項４】
前記上回転軸（１３０）と前記下回転軸（１４０）との間に伝動部が設けられ、伝動部には上コネクタ（１７１）と、下コネクタ（１７２）と、上コネクタ（１７１）を案内する案内部と、を具備して、上コネクタ（１７１）が上回転軸（１３０）に固定して連結され、下コネクタ（１７２）が下回転軸（１４０）に固定して連結されるようにしたことを特徴とする請求項１に記載のトースター。
【請求項５】
前記案内部に底座（１７３）と上カバー（１７４）と案内座（１７５）とばね（１７６）と、を具備して、案内座（１７５）の下方に一つの枢軸連結端部と一つの接触端部が設けられ、枢軸連接端部が底座（１７３）の内に連結されて且つ上カバー（１７４）の下方に位置され、接触端部と底座（１７３）との間にばね（１７６）が設けられ、案内座（１７５）の上に案内輪（１７７）が設けられ、上コネクタ（１７１）を案内輪（１７７）に案内させて且つ下コネクタ（１７２）に合わせるようにしたことを特徴とする請求項４に記載のトースター。
【請求項６】
前記ベース（１００）内に一つの断熱部（２００）が設けられ、断熱部（２００）には、一つの断熱棚（２１０）と、断熱棚（２１０）の長さ方向に沿って伸縮する一つの伸縮部（２２０）と、一つのベルト伝動部と、伸縮部（２２０）に連接され、且つ伸縮部（２２０）の歩調を合わせて展開される又は重ねられる一つの複式断熱板（２３０）と、一つの動力部（２４０）と、動力部（２４０）に信号によって連接される一つの温度センサーと、を具備して、断熱棚（２１０）に断熱ドアが設けられ、複式断熱板（２３０）が断熱ドアに対応され、動力部（２４０）がベルト伝動部に駆動して連接され、ベルト伝動部の二つのプーリが別々に断熱棚（２１０）の長さ方向の両端に設置され、伸縮部（２２０）がベルト伝動部のベルトに伝動して連接されるようにしたことを特徴とする請求項１〜請求項５のいずれか一項に記載のトースター。
【請求項７】
前記伸縮部（２２０）に一つの固定端と一つの伸縮端（２２１）を有して、伸縮端（２２１）がベルトに連結され、前記複式断熱板（２３０）に少なくとも二つの伸縮される断熱板を有し、伸びる場合、最も外側に位置する二つの断熱板に、一つの断熱板が断熱棚（２１０）の長さ方向に対応する固定端の一側に固定して連接され、もう一つの断熱板の外側が伸縮端（２２１）に固定して連接されるようにしたことを特徴とする請求項６に記載のトースター。
【請求項８】
前記ベルトの上にマイクロスイッチ（２６０）が設けられ、断熱棚（２１０）上に邪魔板（２７０）が設けられ、マイクロスイッチ（２６０）と邪魔板（２７０）が適合され且つ信号によって動力部（２４０）に連接されるようにしたことを特徴とする請求項６に記載のトースター。
【考案の詳細な説明】
【技術分野】
【０００１】
本考案はトースターに関する。
【背景技術】
【０００２】
既存のトースターにはベースを有して、ベースのなかに動力部と容器と上回転軸と下回転軸が設けられ、下回転軸が回転されるように動力部が下回転軸に伝動して連結され、上回転軸が回転されるように下回転軸が上回転軸に伝動して連結され、容器が回転されるように上回転軸が容器に伝動して連結される。動力部を停止すると、容器も止まって、容器の停止する位置が適合位置で止められないので、次の操作に影響を与える。
【考案の概要】
【考案が解決しようとする課題】
【０００３】
本考案は提案したトースターとして、その背景技術の不足点を克服している。
【課題を解決するための手段】
【０００４】
その課題を解決するための手段は以下を含む。
【０００５】
トースターはベース（１００）を有し、ベース（１００）のなかに動力部（１１０）と容器（１２０）と上回転軸（１３０）と下回転軸（１４０）が設けられ、動力部（１１０）が下回転軸（１４０）に伝動して連結され、下回転軸（１４０）が上回転軸（１３０）に伝動して連結され、上回転軸（１３０）が容器（１２０）に伝動して連結され、また、ベース（１００）のなかに発射基板（１５０）も設けられ、発射基板（１５０）の上に光信号の発射灯（１５１）と光信号の受信部（１５２）が配置され、下回転軸（１４０）に垂直に下回転軸（１４０）を通す一つの穴（１４１）が設けられ、受信部（１５２）の信号が動力部（１１０）に連接され、発射灯（１５１）と受信部（１５２）が別々に下回転軸（１４０）の両側に設置されて且つその位置が穴（１４１）に対応して位置されるようにした。
【０００６】
好ましい一実施例では、前記発射基板（１５０）が下回転軸（１４０）の外径に可動的に巻付けて連結される。
【０００７】
好ましい一実施例では、前記ベース（１００）のなかに光遮断箱（１６０）も設けられ、光遮断箱（１６０）が下回転軸（１４０）に巻付けて連接されて且つ発射灯（１５１）と受信部（１５２）に被せて連結される。
【０００８】
好ましい一実施例では、前記上回転軸（１３０）と前記下回転軸（１４０）との間に伝動部が設けられ、伝動部には上コネクタ（１７１）と、下コネクタ（１７２）と、上コネクタ（１７１）を案内する案内部と、を具備して、上コネクタ（１７１）が上回転軸（１３０）に固定して連結され、下コネクタ（１７２）が下回転軸（１４０）に固定して連結される。
【０００９】
好ましい一実施例では、前記案内部に底座（１７３）と上カバー（１７４）と案内座（１７５）とばね（１７６）と、を具備して、案内座（１７５）の下方に一つの枢軸連結端部と一つの接触端部が設けられ、枢軸連接端部が底座（１７３）の内に連結されて且つ上カバー（１７４）の下方に位置され、接触端部と底座（１７３）との間にばね（１７６）が設けられ、案内座（１７５）の上に案内輪（１７７）が設けられ、案内輪（１７７）に上コネクタ（１７１）を案内させて且つ下コネクタ（１７２）に合わせる。
【００１０】
好ましい一実施例では、前記ベース（１００）の内に一つの断熱部（２００）が設けられ、断熱部（２００）に一つの断熱棚（２１０）と、断熱棚（２１０）の長さ方向に沿って伸縮される一つの伸縮部（２２０）と、一つのベルト伝動部と、伸縮部（２２０）に連接されて且つ伸縮部（２２０）の歩調を合わせて展開され又は重ねられる一つの複式断熱板（２３０）と、一つの動力部（２４０）と、動力部（２４０）に信号によって連接される一つの温度センサーと、を具備して、断熱棚（２１０）に断熱ドアが設けられ、複式断熱板（２３０）が断熱ドアに対応され、動力部（２４０）がベルト伝動部に駆動して連接され、ベルト伝動部の二つのプーリが別々に断熱棚（２１０）の長さ方向の両端に設置され、伸縮部（２２０）がベルト伝動部のベルトに伝動して連接される。
【００１１】
好ましい一実施例では、前記伸縮部（２２０）に一つの固定端と一つの伸縮端（２２１）を有して、伸縮端（２２１）がベルトに連結され、前記複式断熱板（２３０）に少なくとも二つの伸縮される断熱板を持って、伸びる場合、最も外側に位置する二つの断熱板に、一つの断熱板が断熱棚（２１０）の長さ方向に対応する固定端の一側に固定して連接され、もう一つの断熱板の外側が伸縮端（２２１）に固定して連接される。
【００１２】
好ましい一実施例では、前記ベルトの上にマイクロスイッチ（２６０）が設けられ、断熱棚（２１０）上に邪魔板（２７０）が設けられ、マイクロスイッチ（２６０）と邪魔板（２７０）が適合されて且つ信号によって動力部（２４０）に連接される。
【考案の効果】
【００１３】
本考案は背景技術と比べて次の優れた点を持っている。
【００１４】
第１に、発射灯と受信部が別々に下回転軸の両側に設置されて且つその位置が穴に対応して位置され、下回転軸が容器を連動させて穴に対応する角度に回されると、光信号が穴を貫いて受信部に照射され、受信部に光信号を受信させるので、受信部からモータへの切替信号を送信することができ、モータが制御され、最適な角度に合わせて止められ、自動的に位置を決めることに達成され、次の操作ができ、例えば容器を取り出す。
【００１５】
第２に、光遮断箱が下回転軸に巻付けて連接されて且つ光信号発射灯と光信号受信部に被せて連結され、外光で発射灯と受信部を妨害することを避けて、制御精度が保証される。
【図面の簡単な説明】
【００１６】
【図１】本考案の好ましい一実施例のトースターの局部断面状態１を示す図である。
【図２】本考案の好ましい一実施例のトースターの局部断面状態２を示す図である。
【図３】図１のＡ部の拡大状態を示す図である。
【図４】図２のＢ部の拡大状態を示す図である。
【図５】本考案の好ましい一実施例のトースターの局部断面状態３を示す図である。
【図６】本考案の好ましい一実施例のトースターの局部断面状態４を示す図である。
【図７】図５のＣ部の拡大状態を示す図である。
【図８】図６のＤ部の拡大状態を示す図である。
【図９】本考案の好ましい一実施例のトースターの案内部の概略斜視状態を示す図である。
【図１０】本考案の好ましい一実施例のトースターの断熱部の概略斜視状態１を示す図である。
【図１１】本考案の好ましい一実施例のトースターの断熱部の概略斜視状態２を示す図である。
【考案を実施するための形態】
【００１７】
以下、図を見ながら、本考案の具体的な実施例を説明しよう。
【００１８】
図１から図４までを参照されたい。トースターにはベース１００を有して、ベース１００の内に動力部１１０と容器１２０と上回転軸１３０と下回転軸１４０が設けられる。
【００１９】
本考案の実施例では、前記動力部１１０がモータに採用される。前記動力部１１０と下回伝軸１４０との間でベルトプーリ伝動部１９０によって伝動して連結されるので、動力部１１０が回転される時に下回伝軸１４０に連動させて回せる。前記下回伝軸１４０が上回転軸１３０に伝動して連結されるので、下回伝軸１４０が回転される時に上回転軸１３０に連動させて回せる。前記上回転軸１３０が容器座１８１と固定板１８２と固定台１８３によって容器１２０に連結されるので、上回転軸１３０が回転される時に容器１２０に連動させて回せる。
【００２０】
本考案の実施例では、前記ベース１００の内に発射基板１５０も設けられ、前記発射基板１５０が下回転軸１４０の外径に可動的に巻付けて連結され、前記発射基板１５０の上に赤外線光信号の発射灯１５１と光信号の受信部１５２が配置される。本実施例の中で、前記発射灯１５１が赤外線光信号が発射され、光信号の受信部１５２が赤外線光信号を受信して切替信号が発生される。前記下回転軸１４０に垂直に下回転軸１４０を通す一つの穴１４１が設けられ、受信部１５２の信号が動力部１１０に連接され、発射基板１５０と受信部（１５２）が対称的に下回転軸１４０の両側に設置されて且つその位置が穴１４１に対応して位置される。下回転軸が容器を連動させて穴に対応する角度に回されると、光信号が穴を貫いて受信部に照射され、受信部に光信号を受信させるので、受信部からモータへの切替信号を送信することができ、モータが制御され、最適な角度に合わせて止められ、自動的に位置を決めることに達成される。
【００２１】
本考案の実施例では、最もよいことは、前記ベース１００の内に光遮断箱１６０も設けられ、光遮断箱１６０が下回転軸１４０に巻付けて連接されて且つ光信号発射灯１５１と光信号受信部１５２に被せて連結される。
【００２２】
図５から図９までを参照されたい。本考案の実施例では、前記上回転軸１３０と前記下回転軸１４０との間に伝動部が設けられ、伝動部には上コネクタ１７１と、下コネクタ１７２と、上コネクタ１７１を案内する案内部と、を具備して、前記上コネクタ１７１が上回転軸１３０に固定して連結され、下コネクタ１７２が下回転軸１４０に固定して連結され、前記上コネクタ１７１と、下コネクタ１７２が互いに配合されることによって前記上回転軸１３０と下回転軸１４０との間に伝動連結部の構造に構成され、下回伝軸１４０が回転される時に上回転軸１３０に連動させて回せる。前記案内部に底座１７３と上カバー１７４と案内座１７５とばね１７６と、を具備して、前記底座１７３に底蓋１７３１と、底蓋１７３１の上に固定して連結される一つの囲壁１７３２と、を有して、前記囲壁１７３２に一つの凹み溝１７３３が設けられる。前記上カバー１７４が囲壁１７３２の上に固定して連結されて且つ上カバー１７４の中間に開口１７４１が設けられる。前記案内座１７５の下方に一つの枢軸連結端部と一つの接触端部が設けられ、前記案内座１７５の下端が開口１７４１によって底座１７３の内に取れ付けて連結され、案内座１７５の下端が上カバー１７４の下に位置される。前記枢軸連接端部が凹み溝１７３３に連結されて且つ回転できる連結関係が構成され、案内座１７５が凹み溝１７３３に相対して回せる。前記接触端部と底座１７３との間にばね１７６が設けられる。前記案内座１７５の上に案内輪１７７が設けられる。
【００２３】
本考案の実施例の中、前記案内輪１７７に上コネクタ１７１を案内させて、上コネクタ１７１と下コネクタ１７２が配合して動作される。
【００２４】
その中、容器を入れる場合、当容器をケースに入れて滑る時に上コネクタと下コネクタが接触されてから、案内輪で上コネクタが変わることによって下コネクタに重なる位置を避けるために、順調に下コネクタに配合される。容器を取り出す場合、ベーキングが終わってから容器を取り出す時、上コネクタが案内輪に接触されると、上コネクタが下方へ案内輪に押せて、案内座が凹み溝を回って回転され、ばねを圧縮してエネルギーを貯蔵して、順調に容器を取り出した後、ばねのエネルギーを釈放してばねが弾け、案内輪が復位される。
【００２５】
図１０と図１１を参照されたい。前記ベース１００の内に一つの断熱部２００が設けられ、断熱部（２００）に一つの断熱棚２１０と、断熱棚２１０の長さ方向に沿って伸縮される一つの伸縮部２２０と、一つのベルト伝動部と、伸縮部２２０に連接されて且つ伸縮部２２０の歩調を合わせて展開され又は重ねられる一つの複式断熱板２３０と、一つの動力部２４０と、動力部２４０に信号によって連接される一つの温度センサーと、を具備して、断熱棚２１０が長方形のフレームに設けられ、また、その内壁にシールリング２８０が設けられ、動力部２４０がモータに採用される。前記断熱棚２１０の内フレームが断熱ドアに構成され、前記複式断熱板２３０が展開される時、断熱ドアをカバーして、収め重ねる時、断熱ドアが開ける。前記動力部２４０がギア２９１と２９２によってベルト伝動部のプーリ２５１に伝動して連接され、ベルト伝動部の二つのプーリ２５１が別々に断熱棚２１０の長さ方向の両端に配置される。前記伸縮部２２０に一つの固定端と一つの伸縮端２２１を有して、伸縮端２２１が固定端に対して伸縮されて滑り、また、伸縮端２２１がベルト伝動部のベルト２５２に連結される。前記複式断熱板２３０に少なくとも二つの伸縮される断熱板を持って、伸びる場合、最も外側に位置する二つの断熱板に、一つの断熱板が断熱棚２１０の長さ方向に対応する固定端の一側に固定して連接され、もう一つの断熱板の外側が伸縮端２２１に固定して連接される。
【００２６】
本考案の実施例の中、前記ベルト２５２の上に一つのマイクロスイッチ２６０が設けられ、断熱棚２１０に邪魔板２７０が設けられ、マイクロスイッチ２６０と邪魔板２７０が適合されて且つ信号によって動力部２４０に連接される。
【００２７】
ベース１００の内に放置されるケースが所定温度に到達されるとき、温度センサーから動力部２４０へ信号を出して、動力部２４０に時計回りに回転させて且つ主動ギヤ２９１と補助伝動ギヤ２９２に連動させてプーリ２５２に連動させて運行され、伸縮端２２１に連動させて長さ方向に沿って滑り、伸縮部が展開され、断熱板が直線的に展開され、邪魔片がマイクロスッチに接触されると、動力部に回転を停止させ、この時、断熱ドアが閉鎖され、ケース内の温度が所定の温度まで低下されると、温度センサーから動力部へ信号を出して、動力部に逆時計回りに回転させ、断熱板に戻させて重ねて、邪魔片がマイクロスッチに接触されると、動力部に回転を停止させ、この時、断熱ドアが開く。
【００２８】
以上で述べたのはわずか本考案の好ましい実施の形態だけである。しかし、本考案のデザインアイディアはこれに限定されるものではなく、すなわち、本考案のアイディアに基づいて変形させることが可能であり、それらは本考案の範囲から排除するものではない。
【産業上の利用可能性】
【００２９】
本考案のトースターには、そのベースの内に位置する下回転軸の両側に別々に発射灯と受信部が設けられ、且つ穴に対応して設置され、下回転軸が穴に対応する角度に回されると、光信号が穴を貫いて受信部に照射され、モータが制御され、自動的に位置を決めることが達成される。
【符号の説明】
【００３０】
１００  ベース
１１０  動力部
１２０  容器
１３０  上回転軸
１４０  下回転軸
１４１  穴
１５０  発射基板
１５１  発射灯
１５２  受信部
１６０  光遮断箱
１７１  上コネクタ
１７２  下コネクタ
１７３  底座
１７４  上カバー
１７５  案内座
１７６  ばね
１７７  案内輪
１８１  容器座
１８２  固定板
１８３  固定台
１９０  ベルトプーリ伝動部
２００  断熱部
２１０  断熱棚
２２０  伸縮部
２３０  複式断熱板
２４０  動力部
２５１  プーリ
２５２  ベルト
２６０  マイクロスイッチ
２７０  邪魔板
２８０  シールリング
２９１、２９２  ギア
【図１】
0003189625.tif 000003
【図２】
0003189625.tif 000004
【図３】
0003189625.tif 000005
【図４】
0003189625.tif 000006
【図５】
0003189625.tif 000007
【図６】
0003189625.tif 000008
【図７】
0003189625.tif 000009
【図８】
0003189625.tif 000010
【図９】
0003189625.tif 000011
【図１０】
0003189625.tif 000012
【図１１】
0003189625.tif 000013